【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
第１のスクリーンデバイス上に表示されているプライマリコンテンツに関連する代替バージョンのコンテンツを第２のスクリーンデバイス上で提供する方法であって、
同期メカニズムを使用して、前記第２のスクリーンデバイス上のイベントのタイミングを前記第１のスクリーンデバイス上に表示されているコンテンツに同期させるステップと、
前記第１のスクリーンデバイス上に表示されているコンテンツに同期させられた代替バージョンのコンテンツを前記第２のスクリーンデバイス上で提供するステップと、
を含む、前記方法。
【請求項２】
前記代替バージョンのコンテンツを前記第２のスクリーンデバイス上で提供するステップは、
前記イベントが前記代替バージョンのコンテンツを含むことを決定するステップと、
前記代替バージョンのコンテンツが前記第１のスクリーンデバイス上に表示されているコンテンツに同期させられ得るように、前記代替バージョンのコンテンツを事前ロードするステップと、
を含む、請求項１に記載の方法。
【請求項３】
前記代替バージョンのコンテンツを事前ロードするステップは、
サーバーと交信するステップと、
前記交信しているサーバーから前記代替バージョンのコンテンツをロードするステップと、
前記代替バージョンのコンテンツを前記第２のスクリーンデバイス上で提供するステップと、
を含む、請求項２に記載の方法。
【請求項４】
前記同期させるステップは、前記第２のスクリーンデバイス上の基準タイマを調整するステップを含む、請求項１に記載の方法。
【請求項５】
前記基準タイマに施される前記調整は、使用される前記同期メカニズムに基づく、請求項４に記載の方法。
【請求項６】
前記同期メカニズムは、無線同期メカニズムを含む、請求項１に記載の方法。
【請求項７】
前記同期メカニズムは、音声透かし同期メカニズムを含む、請求項１に記載の方法。
【請求項８】
前記代替バージョンのコンテンツは、前記対応するプライマリコンテンツが前記第１のスクリーンデバイス上に表示されるときに、前記第２のスクリーンデバイス上に自動的に表示される、請求項１に記載の方法。
【請求項９】
前記第２のスクリーンデバイス上で提供される前記代替バージョンのコンテンツを前記第１のスクリーンデバイス上に表示させる機能をユーザに提供するステップ
をさらに含む、請求項１に記載の方法。
【請求項１０】
第２のスクリーンデバイスであって、
コンテンツを表示するように構成されたスクリーンと、
データを記憶するための記憶装置と、
同期メカニズムを使用して、前記第２のスクリーンデバイス上のイベントのタイミングを第１のスクリーンデバイス上に表示されているコンテンツに同期させ、前記第１のスクリーンデバイス上に表示されているコンテンツに同期させられた代替バージョンのコンテンツを前記第２のスクリーンデバイス上で提供するように構成されたプロセッサーと、
を備える、第２のスクリーンデバイス。
【請求項１１】
同期データを受信するための無線ネットワークインターフェースをさらに備える、請求項１０に記載の第２のスクリーンデバイス。
【請求項１２】
前記第１のスクリーンデバイスからの音響内の同期情報を検出するためのマイクロフォンをさらに備える、請求項１０に記載の第２のスクリーンデバイス。
【請求項１３】
タッチスクリーンデバイスを備える、請求項１０に記載の第２のスクリーンデバイス。
【請求項１４】
前記プロセッサーは、基準タイマを維持するようにさらに構成される、請求項１０に記載の第２のスクリーンデバイス。
【請求項１５】
同期メカニズムを使用して、第２のスクリーンデバイス上のイベントのタイミングを第１のスクリーンデバイス上に表示されているコンテンツに同期させるステップと、
前記第１のスクリーンデバイス上に表示されているコンテンツに同期させられた代替バージョンのコンテンツを前記第２のスクリーンデバイス上で提供するステップと、
を含むステップをプロセッサーに実行させるための命令を格納した、機械可読記録媒体。
【手続補正２】
【補正対象書類名】明細書
【補正対象項目名】００９１
【補正方法】変更
【補正の内容】
【００９１】
加えて、上述の説明は、もっぱら例として意図されており、以下の特許請求の範囲で説
明される場合を除き、本発明を制限することを決して意図していない。
＜付記１＞
第１のスクリーン上に表示されているプライマリコンテンツに関連する代替バージョンのコンテンツを第２のスクリーン上で提供する方法であって、
同期メカニズムを使用して、前記第２のスクリーンデバイス上のイベントのタイミングを前記第１のスクリーンデバイス上に表示されているコンテンツに同期させるステップと、
前記第１のスクリーンデバイス上に表示されているコンテンツに同期させられた代替バージョンのコンテンツを前記第２のスクリーン上で提供するステップと、
を含む、前記方法。
＜付記２＞
前記代替バージョンのコンテンツを前記第２のスクリーン上で提供するステップは、
前記イベントが前記代替バージョンのコンテンツを含むことを決定するステップと、
前記代替バージョンのコンテンツが前記第１のスクリーンデバイス上に表示されているコンテンツに同期させられ得るように、前記代替バージョンのコンテンツを事前ロードするステップと、
を含む、付記１に記載の方法。
＜付記３＞
前記代替バージョンのコンテンツを事前ロードするステップは、
サーバーと交信するステップと、
前記交信しているサーバーから前記代替バージョンのコンテンツをロードするステップと、
前記代替バージョンのコンテンツを前記第２のスクリーンデバイス上で提供するステップと、
を含む、付記２に記載の方法。
＜付記４＞
前記同期させるステップは、前記第２のスクリーンデバイスの基準タイマを調整するステップを含む、付記１に記載の方法。
＜付記５＞
前記基準タイマに施される前記調整は、使用される前記同期メカニズムに基づく、付記４に記載の方法。
＜付記６＞
前記同期メカニズムは、無線同期メカニズムを含む、付記１に記載の方法。
＜付記７＞
前記同期メカニズムは、音声透かし同期メカニズムを含む、付記１に記載の方法。
＜付記８＞
前記代替バージョンのコンテンツは、前記対応するプライマリコンテンツが前記第１のスクリーンデバイス上に表示されるときに、自動的に前記第２のスクリーンデバイス上に表示される、付記１に記載の方法。
＜付記９＞
前記第２のスクリーンデバイスに提供される前記代替バージョンのコンテンツを前記第１のスクリーンデバイス上に表示させる機能をユーザに提供するステップ
をさらに含む、付記１に記載の方法。
＜付記１０＞
コンテンツを表示するように構成されたスクリーンと、
データを記憶するための記憶装置と、
同期メカニズムを使用して、第２のスクリーンデバイス上のイベントのタイミングを第１のスクリーンデバイス上に表示されているコンテンツに同期させ、前記第１のスクリーンデバイス上に表示されているコンテンツに同期させられた代替バージョンのコンテンツを第２のスクリーン上で提供するように構成されたプロセッサーと、
を備える、第２のスクリーンデバイス。
＜付記１１＞
同期データを受信するための無線ネットワークインターフェースをさらに備える、付記１０に記載の第２のスクリーンデバイス。
＜付記１２＞
前記第１のスクリーンデバイスからの音響内の同期情報を検出するためのマイクロフォンをさらに備える、付記１０に記載の第２のスクリーンデバイス。
＜付記１３＞
タッチスクリーンデバイスを備える、付記１０に記載の第２のスクリーンデバイス。
＜付記１４＞
前記プロセッサーは、基準タイマを維持するようにさらに構成される、付記１０に記載の第２のスクリーンデバイス。
＜付記１５＞
実行されたときに、
同期メカニズムを使用して、第２のスクリーンデバイス上のイベントのタイミングを第１のスクリーンデバイス上に表示されているコンテンツに同期させるステップと、
前記第１のスクリーンデバイス上に表示されているコンテンツに同期させられた代替バージョンのコンテンツを第２のスクリーン上で提供するステップと、
を含むステップを実行する命令を含む、機械可読媒体。